(57)【要約】【課題】小さい端子金具の小型コネクタであっても、フロントホルダをハウジングに組み付けでき、所望の位置保持力で仮係止及び本係止位置に係止できる。【解決手段】各端子収容室５内に収容された各端子金具に係止される複数の可撓性係止アーム部を有するハウジング３と、ハウジング３の嵌合面側より挿入され、仮係止位置を経て本係止位置で組み付けられるフロントホルダ４と、フロントホルダ４を仮係止位置でハウジング３に位置保持する仮係止手段と、フロントホルダ４を本係止位置でハウジング３に位置保持する本係止手段とを備えたコネクタ１であって、仮係止手段は、フロントホルダ４をハウジング３に挿入する方向Ａから見て複数の端子収容室５が配置された端子収容エリアの外側位置に配置されたサイド係止手段２６及びセンター係止手段２６から構成し、本係止手段は、上記のセンター係止手段２６より構成した。【選択図】　　　図３
2004063281.tif 000002
【特許請求の範囲】
【請求項１】
複数の端子収容室が並設され、この各端子収容室内に収容された各端子金具に係止される複数の可撓性係止アーム部を有するハウジングと、このハウジングの嵌合面側より挿入され、前記可撓性係止アーム部の撓み変形を許容する仮係止位置を経て前記可撓性係止アーム部の撓み変形を阻止する本係止位置で組み付けられるフロントホルダと、
このフロントホルダを仮係止位置で前記ハウジングに位置保持する仮係止手段と、
前記フロントホルダを本係止位置で前記ハウジングに位置保持する本係止手段とを備えたコネクタであって、
前記フロントホルダを前記ハウジングに挿入する方向から見て複数の前記端子収容室が配置された端子収容エリアの外側位置に前記仮係止手段と前記本係止手段とを設けたことを特徴とするコネクタ。
【請求項２】
請求項１記載のコネクタであって、
前記仮係止手段は、端子収容エリアの左右方向の両外側位置に設けられた左右一対のサイド係止手段と、端子収容エリアの上下方向のいずれか一方の外側位置に設けられたセンター係止手段とから構成され、前記本係止手段は、前記センター係止手段にて構成されたことを特徴とするコネクタ。
【請求項３】
請求項２記載のコネクタであって、
前記各サイド係止手段は、前記ハウジングと前記フロントホルダとのいずれか一方に設けられ、前記フロントホルダの挿入方向に延びるガイド孔と、他方に設けられ、前記ガイド孔内にスライド自在に挿入される係止突起とから構成され、仮係止位置ではこの係止突起が前記ガイド孔の端面に当接することによって位置保持することを特徴とするコネクタ。
【請求項４】
請求項３記載のコネクタであって、
前記フロントホルダに前記ガイド孔が、前記ハウジングに前記係止突起がそれぞれ設けられていることを特徴とするコネクタ。
【発明の詳細な説明】
【０００１】
【発明の属する技術分野】
本発明は、ハウジングにフロントホルダを組み付けることによりハウジング内の端子金具の抜けを阻止するコネクタに関する。
【０００２】
【従来の技術】
この種の従来のコネクタとしては、図８〜図１０に示す特開平７−５７８０９号公報に開示されたものがある。このコネクタ５０は、図８〜図１０に示すように、各電線の端部が接続された複数の端子金具５１（図１０に示す）と、この複数の端子金具５１が収容されるハウジング５２と、このハウジング５２に組み付けられるフロントホルダ５３とを備えている。
【０００３】
ハウジング５２は、その内部に多数の端子収容室５４が形成されており、この各端子収容室５４に端子金具５１がそれぞれ収容されている。各端子収容室５４には、一端側が上面に支持された可撓性係止アーム部５５が突設されており、この可撓性係止アーム部５５に端子金具５１が係止されている。又、端子収容室５４の前壁にはハウジング側第１係止部５６とハウジング側第２係止部５７とがそれぞれ突設されている。
【０００４】
フロントホルダ５３は、相手コネクタの嵌合面側からハウジング５２に挿入可能に設けられ、その挿入先端には複数のアーム変形阻止部６０が設けられている。又、フロントホルダ５３には撓み変形によって変移自在なホルダ側第１係止部６１と、同じく撓み変形によって変移自在なホルダ側第２係止部６２とがそれぞれ突設されている。
【０００５】
次に、上記コネクタ５０の組み付け作業を説明する。ハウジング５２の嵌合面側よりフロントホルダ５３を挿入する。そして、図９に示すように、フロントホルダ５３のホルダ側第１係止部６１がハウジング５２内のハウジング側第１係止部５６に係止する仮係止位置まで挿入する。この仮係止状態にあって、ハウジング５２の各端子収容室５４に後方の開口より各端子金具５１を挿入し、可撓性係止アーム部５５の弾性撓み変形により端子金具５１を係止する。
【０００６】
次に、ハウジング５２に仮係止状態とされたフロントホルダ５３をハウジング５２内に更に挿入する。そして、図１０に示すように、フロントホルダ５３のホルダ側第２係止部６２がハウジング５２内のハウジング側第２係止部５７に係止する本係止位置まで挿入する。すると、各アーム変形阻止部６０が各可撓性係止アーム部５５と各端子収容室５４の上面との間の撓み空間に挿入され、各可撓性係止アーム部５５の撓み変形が規制される。これによって各端子金具５１の抜けが阻止される。
【０００７】
上記フロントホルダ５３の仮係止位置にあっては、図９に示すように、フロントホルダ５３の挿入方向Ａの移動が第２係止部５７，６２間の係止によって阻止され、フロントホルダ５３の引き抜き方向Ｂの移動が第１係止部５６，６１間の係止によって阻止されるため、フロントホルダ５３がハウジング５２に仮組み付けされ、且つ、フロントホルダ５３のアーム変形阻止部６０が端子金具５１の挿入を阻害しない状態に位置保持される。又、上記フロントホルダ５３の本係止位置にあっては、図１０に示すように、フロントホルダ５３の引き抜き方向Ｂの移動が第２係止部５７，６２間の係止によって阻止されるため、フロントホルダ５３がハウジング５２に本組み付けされ、且つ、フロントホルダ５３のアーム変形阻止部６０が端子金具５１の抜け止めを阻止する状態に位置保持される。
【０００８】
以上、上記コネクタ５０によれば、フロントホルダ５３をハウジング５２に仮組み付けした状態で端子金具５１の挿入作業を行うことができるという利点がある。
【０００９】
【発明が解決しようとする課題】
しかしながら、前記従来のコネクタ５０では、ハウジング５２のハウジング側第１係止部５６及びハウジング側第２係止部５７が端子収容室５４の前壁より突設され、フロントホルダ５３をハウジング５２に挿入する方向から見て複数の端子収容室５４が配置された端子収容エリアの内側位置に配置されている。従って、これらハウジング側第１及び第２係止部５６，５７及びホルダ側第１及び第２係止部６１，６２は、相手コネクタの端子挿入に支障がない位置に設置する等の制約があり、小さな端子金具を使用し、隣接する端子収容室間のスペースや端子収容室自体が小スペースで構成される小型コネクタには設置できないか、仮に設置できたとしても所望の位置保持力を有するものにできないという問題があった。
【００１０】
そこで、本発明は、前記した課題を解決すべくなされたものであり、小さな端子金具を使用するものであっても、フロントホルダをハウジングに組み付けでき、しかも、所望の位置保持力で仮係止位置と本係止位置に係止できるコネクタを提供することを目的とする。
【００１１】
【課題を解決するための手段】
請求項１の発明は、複数の端子収容室が並設され、この各端子収容室内に収容された各端子金具に係止される複数の可撓性係止アーム部を有するハウジングと、このハウジングの嵌合面側より挿入され、前記可撓性係止アーム部の撓み変形を許容する仮係止位置を経て前記可撓性係止アーム部の撓み変形を阻止する本係止位置で組み付けられるフロントホルダと、このフロントホルダを仮係止位置で前記ハウジングに位置保持する仮係止手段と、前記フロントホルダを本係止位置で前記ハウジングに位置保持する本係止手段とを備えたコネクタであって、前記フロントホルダを前記ハウジングに挿入する方向から見て複数の前記端子収容室が配置された端子収容エリアの外側位置に前記仮係止手段と前記本係止手段とを設けたことを特徴とする。
【００１２】
このコネクタでは、仮係止手段及び本係止手段を端子収容スペースの外側位置に配置することから使用する端子金具の大きさに制約を受けることなく仮係止手段及び本係止手段の構造を決定できる。
【００１３】
請求項２の発明は、請求項１記載のコネクタであって、前記仮係止手段は、端子収容エリアの左右方向の両外側位置に設けられた左右一対のサイド係止手段と、端子収容エリアの上下方向のいずれか一方の外側位置に設けられたセンター係止手段とから構成され、前記本係止手段は、前記センター係止手段にて構成されたことを特徴とする。
【００１４】
このコネクタでは、請求項１の発明の作用に加え、センター係止手段が仮係止手段の一部と本係止手段とを兼用する。
【００１５】
請求項３の発明は、請求項２記載のコネクタであって、前記各サイド係止手段は、前記ハウジングと前記フロントホルダとのいずれか一方に設けられ、前記フロントホルダの挿入方向に延びるガイド孔と、他方に設けられ、前記ガイド孔内にスライド自在に挿入される係止突起とから構成され、仮係止位置ではこの係止突起が前記ガイド孔の端面に当接することによって位置保持することを特徴とする。
【００１６】
このコネクタでは、請求項２の発明の作用に加え、フロントホルダの仮係止位置と本係止位置との間の移動が確実で、且つ、スムーズになる。
【００１７】
請求項４の発明は、請求項３記載のコネクタであって、前記フロントホルダに前記ガイド孔が、前記ハウジングに前記係止突起がそれぞれ設けられていることを特徴とする。
【００１８】
このコネクタでは、請求項３の発明と同様の作用が得られる。
【００１９】
【発明の実施の形態】
以下、本発明の一実施形態を図面に基づいて説明する。
【００２０】
図１〜図７は本発明の一実施形態を示し、図１はハウジング３とフロントホルダ４の分解斜視図、図２はフロントホルダ４が仮係止位置に位置するコネクタ１の斜視図、図３はフロントホルダ４が仮係止位置に位置する場合にあって、サイド係止手段２５を示すコネクタ１の一部破断斜視図、図４はフロントホルダ４が仮係止位置に位置する場合にあって、センター係止手段２６を示すコネクタ１の一部破断斜視図、図５はフロントホルダ４が本係止位置に位置するコネクタ１の斜視図、図６はフロントホルダ４が本係止位置に位置する場合にあって、サイド係止手段２５を示すコネクタ１の一部破断斜視図、図７はフロントホルダ４が本係止位置に位置する場合にあって、センター係止手段２６を示すコネクタ１の一部破断斜視図である。
【００２１】
図１〜図４に示すように、コネクタ１は、各電線の端部が接続された複数のメス端子用の端子金具（図示せず）と、この複数の端子金具が収容されるハウジング３と、このハウジング３に組み付けられるフロントホルダ４とから構成されている。
【００２２】
ハウジング３は、略偏平長方形を有し、この内部に多数の端子収容室５が形成されており、この各端子収容室５に端子金具がそれぞれ収容されている。多数の端子収容室５は、上下２段で、且つ、横方向に並設されており、各端子収容室５の前面と後面が外部に開口している。上段の各端子収容室５には、外周壁７の内面より可撓性係止アーム部（図示せず）が延設されており、下段の各端子収容室５には、上下仕切り壁８の下面より可撓性係止アーム部（図示せず）が延設されており、この各可撓性係止アーム部にそれぞれの端子金具が係止されている。
【００２３】
ハウジング３の外周壁７の上面には嵌合状態の相手コネクタ（図示せず）をロックするロック部１０が設けられている。このロック部１０は、外周壁７の支持部７ａに一端側が固定され、自由端である他端側がハウジング３の後方に延びるアーム部１１と、このアーム部１１の自由端の上面に突設された係止突起部１２と、この係止突起部１２の更に自由端側に設けられた操作部１３とから構成されている。又、外周壁７の支持部７ａの左右対称位置には、アリ溝１４が形成されており、このアリ溝１４は外周壁７の内面側に開口されている。
【００２４】
ハウジング３には、相手側コネクタ（図示せず）が嵌合される嵌合面で、且つ、上段の端子挿入口側が一段内側に窪んだ前面プレート収容凹部１５が形成されていると共に、複数の端子収容室５が配置された端子収容エリアの左右方向の両外側位置に左右一対の側面プレート挿入孔１６が形成されており、これら前面プレート収容凹部１５及び側面プレート挿入孔１６等を利用してフロントホルダ４が挿入可能に構成されている。
【００２５】
フロントホルダ４は、前面プレート部１７と、この前面プレート部１７の両側端より後方に延びる左右の側面プレート部１８と、前面プレート部１７の上下端より後方に延びる上面プレート部１９及び下面プレート部２０とを備え、側面プレート部１８の後方を挿入先端としてハウジング３に挿入されている。前面プレート部１７には上段側の端子挿入口２１が形成されている。上面プレート部１９及び下面プレート部２０の各後端部分は、アーム変形阻止部２２とされており、この各アーム変形阻止部２２が可撓性係止アーム部（図示せず）と端子収容室５の上面との間の撓み空間に介在されている。又、上面プレート部１９の左右対称位置にはアリ溝用係止突起２３が設けられており、この一対のアリ溝用係止突起２３が一対のアリ溝１４に挿入される。
【００２６】
また、ハウジング３とフロントホルダ４との間には、フロントホルダ４がハウジング３に挿入される過程で、フロントホルダ４を仮係止位置に位置保持する仮係止手段と、フロントホルダ４を本係止位置に位置保持する本係止手段とが設けられている。
【００２７】
仮係止手段は、この実施形態では、フロントホルダ４をハウジング３に挿入する方向Ａから見て、複数の端子収容室５が配置される端子収容エリアの左右方向の外側位置に設けられた左右一対のサイド係止手段２５と、端子収容エリアの上下方向の上方位置に設けられたセンター係止手段２６とから構成されている。本係止手段は、この実施形態では、上記した同じセンター係止手段２６にて構成されている。つまり、センター係止手段２６は、仮係止手段の一部と本係止手段とを兼用している。
【００２８】
各サイド係止手段２５は、フロントホルダ４の各側面プレート１８に設けられ、フロントホルダ４の挿入方向Ａに延びるガイド孔２７と、ハウジング３の側面プレート挿入孔１６に突出するよう設けられ、ガイド孔２７内にスライド自在に挿入される係止突起２８（図３及び図６に示す）とから構成され、仮係止位置では係止突起２８がガイド孔２７の端面に当接するように設定されている。
【００２９】
センター係止手段２６は、ハウジング３の支持部７ａの中央位置で、且つ、内面側に突設された係止突起２９と、フロントホルダ４の上面プレート部１９の中央位置で、且つ、上方に突設された弾性アームロック部３０とから構成されている。係止突起２９は、その前方の外面及び後方の内面が共に垂直面にて形成されている。弾性アームロック部３０は、上面プレート部１９に一端側が固定され、自由端側が前面プレート部１７側に延びるアーム部３１と、このアーム部３１の中央の上面に突設された係止突起部３２と、アーム部３１の自由端に設けられた操作部３３とから構成されている。係止突起部３２は、係止突起２９と同様に、その前方面及び後方面が共に垂直面にて形成されている。操作部３３を下方Ｃに押圧すると、アーム部３１の撓み変形によって係止突起３２が下方に変移して係止突起２９に干渉しない位置にできるようになっている。仮係止位置では弾性アームロック部３０の係止突起部３２が係止突起２９の外面に当接し、本係止位置では弾性アームロック部３０の係止突起部３２が係止突起２９の内面に当接する位置関係に設定されている。
【００３０】
次に、上記コネクタ１の組み付け作業を説明する。ハウジング３の嵌合面（前面）側よりフロントホルダ４を挿入する。そして、図２〜図４に示すように、フロントホルダ４の左右の側面プレート部１８を互いに外側に強制弾性変形させることによって一対のガイド孔２７にハウジング３側の一対の係止突起２８が係止される位置まで挿入し、仮係止位置とする。このフロントホルダ４の挿入によって弾性アームロック部３０の係止突起３２がハウジング３の係止突起部２９に当接する位置とされる。仮係止位置では、フロントホルダ４の挿入方向Ａの移動がセンター係止手段２６の係止突起２９と係止突起部３２の間の係止によって阻止され、フロントホルダ４の引き抜き方向Ｂの移動が一対のサイド係止手段２５の係止突起２８とガイド孔２７の端面間の係止によって阻止されるため、フロントホルダ４がハウジング３に仮組み付けされ、且つ、フロントホルダ４のアーム変形阻止部２２が端子金具（図示せず）の挿入を阻害しない状態に位置保持される。
【００３１】
この仮係止状態にあって、ハウジング３の各端子収容室５に後方の開口より各端子金具（図示せず）を挿入する。すると、端子金具の挿入先端が可撓性係止アーム部（図示せず）に当接し、この状態より更に端子金具を挿入すると、可撓性係止アーム部の自由端側が撓み空間に弾性変形して端子金具の挿入が許容される。端子金具が適正な挿入位置まで挿入されると、可撓性係止アーム部の自由端側が端子金具の被係止部（図示せず）の位置に一致し弾性復帰変形して端子金具に係止する。
【００３２】
次に、ハウジング３の嵌合面（前面）側で仮係止状態とされたフロントホルダ４の弾性アームロック部３０の操作部３３を下方Ｃに押圧し、フロントホルダ４をハウジング３内に更に挿入する。そして、図５〜図７に示すように、フロントホルダ４の弾性アームロック部３０の係止突起部３２がハウジング３の係止突起２９の内面に係止される位置まで挿入し、この時点で弾性アームロック部３０の操作部３３の押圧を解除して、本係止位置とする。このフロントホルダ４の挿入によって各アーム変形阻止部２２が各可撓性係止アーム部と各端子収容室５の上面との間の撓み空間に挿入される。本係止位置では、フロントホルダ４の引き抜き方向Ｂの移動がセンター係止手段２６の係止突起２９と係止突起部３２間の係止によって阻止されるため、フロントホルダ４がハウジング３に本組み付けされ、且つ、フロントホルダ４のアーム変形阻止部２２が端子金具（図示せず）の抜け止めを阻止する状態に位置保持される。
【００３３】
また、複数の端子金具の一部が適正に挿入されていない等の不具合があり、フロントホルダ４を本係止位置から仮係止位置に戻す場合には、フロントホルダ４の弾性アームロック部３０の操作部３３を下方Ｃに押圧し、フロントホルダ４をハウジング３内から引き出す。そして、図２〜図４に示すように、フロントホルダ４の一対のガイド孔２７の端面にハウジング３側の一対の係止突起２８が係止される位置まで引き出し、この時点で弾性アームロック部３０の操作部３３の押圧を解除して仮係止位置とすれば良い。
【００３４】
以上、上記コネクタ１では、一対のサイド係止手段２５及びセンター係止手段２６が端子収容スペースの外側位置に配置されることから使用する端子金具（図示せず）の大きさに制約を受けることなく一対のサイド係止手段２５及びセンター係止手段２６の構造を決定できるため、小さな端子金具（図示せず）を使用する小型コネクタであっても、フロントホルダ４をハウジング３に組み付けでき、しかも、所望の位置保持力で仮係止位置と本係止位置に係止できる。
【００３５】
上記実施形態では、仮係止手段は、端子収容エリアの左右方向の両外側位置に設けられた左右一対のサイド係止手段２５と、端子収容エリアの上下方向のいずれか一方の外側位置に設けられたセンター係止手段２６とから構成され、本係止手段は、同じセンター係止手段２６にて構成されているので、センター係止手段２６が仮係止手段の一部と本係止手段とを兼用するため、一対のサイド係止手段２５の構成を簡素化できる。
【００３６】
上記実施形態では、各サイド係止手段２５は、フロントホルダ４に設けられ、フロントホルダ４の挿入方向に延びるガイド孔２７と、ハウジング３に設けられ、ガイド孔２７内にスライド自在に挿入される係止突起２８とから構成され、仮係止位置では係止突起２８がガイド孔２７の端面に当接することによって位置保持するようにしたので、フロントホルダ４の仮係止位置と本係止位置との間の移動が確実で、且つ、スムーズになる。
【００３７】
上記実施形態では、フロントホルダ４にガイド孔２７が、ハウジング３に係止突起２８がそれぞれ設けられているが、この逆にハウジング３にガイド孔２７を、フロントホルダ４に係止突起２８を設けても良い。
【００３８】
尚、上記実施形態によれば、本発明がメス端子用のコネクタ１に適用した場合が示されているが、本発明をオス端子用のコネクタにも同様に適用できることはもちろんである。
【００３９】
【発明の効果】
以上説明したように、請求項１の発明によれば、複数の端子収容室が並設され、この各端子収容室内に収容された各端子金具に係止される複数の可撓性係止アーム部を有するハウジングと、このハウジングの嵌合面側より挿入され、可撓性係止アーム部の撓み変形を許容する仮係止位置を経て可撓性係止アーム部の撓み変形を阻止する本係止位置で組み付けられるフロントホルダと、このフロントホルダを仮係止位置でハウジングに位置保持する仮係止手段と、フロントホルダを本係止位置でハウジングに位置保持する本係止手段とを備えたコネクタであって、フロントホルダをハウジングに挿入する方向から見て複数の端子収容室が配置された端子収容エリアの外側位置に仮係止手段と本係止手段とを設けたので、仮係止手段及び本係止手段を端子収容スペースの外側位置に配置することから使用する端子金具の大きさに制約を受けることなく仮係止手段及び本係止手段の構造を決定できる。従って、小さな端子金具を使用する小型コネクタであっても、フロントホルダをハウジングに組み付けでき、しかも、所望の位置保持力で仮係止位置と本係止位置に係止できる。
【００４０】
請求項２の発明によれば、請求項１記載のコネクタであって、仮係止手段は、端子収容エリアの左右方向の両外側位置に設けられた左右一対のサイド係止手段と、端子収容エリアの上下方向のいずれか一方の外側位置に設けられたセンター係止手段とから構成され、本係止手段は、前記センター係止手段にて構成されたので、請求項１の発明の効果に加え、センター係止手段が仮係止手段の一部と本係止手段とを兼用するため、一対のサイド係止手段の構成を簡素化できる。
【００４１】
請求項３の発明によれば、請求項２記載のコネクタであって、各サイド係止手段は、ハウジングとフロントホルダとのいずれか一方に設けられ、フロントホルダの挿入方向に延びるガイド孔と、他方に設けられ、ガイド孔内にスライド自在に挿入される係止突起とから構成され、仮係止位置では係止突起がガイド孔の端面に当接することによって位置保持するようにしたので、請求項２の発明の効果に加え、フロントホルダの仮係止位置と本係止位置との間の移動が確実で、且つ、スムーズになる。
【００４２】
請求項４の発明によれば、請求項３記載のコネクタであって、フロントホルダにガイド孔が、ハウジングに係止突起がそれぞれ設けられているので、請求項３の発明と同様の効果が得られる。
【図面の簡単な説明】
【図１】本発明の一実施形態を示し、ハウジングとフロントホルダの分解斜視図である。
【図２】本発明の一実施形態を示し、フロントホルダが仮係止位置に位置するコネクタの斜視図である。
【図３】本発明の一実施形態を示し、フロントホルダが仮係止位置に位置する場合にあって、サイド係止手段を示すコネクタの一部破断斜視図である。
【図４】本発明の一実施形態を示し、フロントホルダが仮係止位置に位置する場合にあって、センター係止手段を示すコネクタの一部破断斜視図である。
【図５】本発明の一実施形態を示し、フロントホルダが本係止位置に位置するコネクタの斜視図である。
【図６】本発明の一実施形態を示し、フロントホルダが本係止位置に位置する場合にあって、サイド係止手段を示すコネクタの一部破断斜視図である。
【図７】本発明の一実施形態を示し、フロントホルダが本係止位置に位置する場合にあって、センター係止手段を示すコネクタの一部破断斜視図である。
【図８】従来例を示し、フロントホルダの斜視図である。
【図９】従来例を示し、フロントホルダが仮係止位置に位置するコネクタの断面図である。
【図１０】従来例を示し、フロントホルダが本係止位置に位置するコネクタの断面図である。
【符号の説明】
１　コネクタ
３　ハウジング
４　フロントホルダ
５　端子収容室
２５　サイド係止手段（仮係止手段、本係止手段）
２６　センター係止手段（本係止手段）
２７　ガイド孔
２８　係止突起
【図１】
2004063281.tif 000003
【図２】
2004063281.tif 000004
【図３】
2004063281.tif 000005
【図４】
2004063281.tif 000006
【図５】
2004063281.tif 000007
【図６】
2004063281.tif 000008
【図７】
2004063281.tif 000009
【図８】
2004063281.tif 000010
【図９】
2004063281.tif 000011
【図１０】
2004063281.tif 000012